【手続補正書】
【提出日】平成18年8月3日(2006.8.3)
【手続補正１】
【補正対象書類名】明細書
【補正対象項目名】特許請求の範囲
【補正方法】変更
【補正の内容】
【特許請求の範囲】
【請求項１】被写界の画像情報を検出する被写界像検出手段と、該被写界像検出手段からの画像情報を基に被写体の顔を認識する顔認識手段と、該顔認識手段からの情報により、顔の向いている方向を判定する判定手段と、該判定手段の判定結果に応じて被写体記録動作を行わせる制御手段とを有することを特徴とするカメラ。
【請求項２】被写界の画像情報を検出する被写界像検出手段と、該被写界像検出手段からの画像情報を基に被写体の目を認識する目認識手段と、該目認識手段からの情報により、目線の方向を判定する判定手段と、該判定手段の判定結果に応じて被写体記録動作を行わせる制御手段とを有することを特徴とするカメラ。
【請求項３】被写界の画像情報を検出する被写界像検出手段と、該被写界像検出手段からの画像情報を基に被写体の顔の表情を認識する表情認識手段と、該表情認識手段からの情報により、該顔の表情を判定する判定手段と、該判定手段の判定結果に応じて被写体記録動作を行わせる制御手段とを有することを特徴とするカメラ。
【請求項４】被写界の画像情報を検出する被写界像検出手段と、該被写界像検出手段からの画像情報を基に被写体の顔の表情を認識する表情認識手段と、該表情認識手段からの情報により、該顔の表情を判定する判定手段と、該判定手段の判定結果に応じて記録画面の明るさを変化させる画面明るさ変化手段と、該画面明るさ変化手段により変化された明るさの画面での被写体を記録する記録動作を行わせる制御手段とを有することを特徴とするカメラ。
【請求項５】被写界の画像情報を検出する被写界像検出手段と、該被写界像検出手段からの画像情報を基に被写体の顔の表情を認識する表情認識手段と、該表情認識手段からの情報により、該顔の表情を判定する判定手段と、該判定手段の判定結果に応じてテキストやキャラクタを発生させる発生手段と、該発生手段により発生されたテキストやキャラクタを被写体と共に記録する記録動作を行わせる制御手段とを有することを特徴とするカメラ。
【請求項６】被写界の画像情報を検出する被写界像検出手段と、該被写界像検出手段からの画像情報を基に被写体の顔の表情を認識する表情認識手段と、該表情認識手段からの情報により、該顔の表情を判定する判定手段と、該判定手段の判定結果に応じて記録画面の色を変化させる画面色変化手段と、該画面色変化手段により変化された画面色での被写体を記録する記録動作を行わせる制御手段とを有することを特徴とするカメラ
【手続補正２】
【補正対象書類名】明細書
【補正対象項目名】００１０
【補正方法】変更
【補正の内容】
【００１０】
（発明の目的）本発明の第１の目的は、被写体の顔を認識し、顔の向いている方向の判定結果に応じて、被写体記録動作を行うことのできるカメラを提供しようとするものである。
【手続補正３】
【補正対象書類名】明細書
【補正対象項目名】００１１
【補正方法】変更
【補正の内容】
【００１１】
本発明の第２の目的は、被写体の目を認識し、目線の方向の判定結果に応じて、被写体記録動作を行うことのできるカメラを提供しようとするものである。
【手続補正４】
【補正対象書類名】明細書
【補正対象項目名】００１２
【補正方法】変更
【補正の内容】
【００１２】
本発明の第３の目的は、被写体の顔の表情を認識し、顔の表情の判定結果に応じて、被写体記録動作を行うことのできるカメラを提供しようとするものである。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
本発明の第４の目的は、被写体の顔の表情を認識し、顔の表情の判定結果に応じて、記録画面の明るさを変化させることのできるカメラを提供しようとするものである。
【手続補正８】
【補正対象書類名】明細書
【補正対象項目名】００１６
【補正方法】変更
【補正の内容】
【００１６】
本発明の第５の目的は、被写体の顔の表情を認識し、顔の表情の判定結果に応じて、表情に合ったテキストやキャラクタを記録することのできるカメラを提供しようとするものである。
【手続補正９】
【補正対象書類名】明細書
【補正対象項目名】００１７
【補正方法】変更
【補正の内容】
【００１７】
本発明の第６の目的は、被写体の顔の表情を認識し、顔の表情の判定結果に応じて、表情に合った色に記録画面を変化させることのできるカメラを提供しようとするものである。
【手続補正１０】
【補正対象書類名】明細書
【補正対象項目名】００１８
【補正方法】変更
【補正の内容】
【００１８】
【課題を解決するための手段】上記第１の目的を達成するために、請求項１に記載の発明は、被写界の画像情報を検出する被写界像検出手段と、該被写界像検出手段からの画像情報を基に被写体の顔を認識する顔認識手段と、該顔認識手段からの情報により、顔の向いている方向を判定する判定手段と、該判定手段の判定結果に応じて被写体記録動作を行わせる制御手段とを有するカメラとするものである。
【手続補正１１】
【補正対象書類名】明細書
【補正対象項目名】００１９
【補正方法】変更
【補正の内容】
【００１９】
また、上記第２の目的を達成するために、請求項２に記載の発明は、被写界の画像情報を検出する被写界像検出手段と、該被写界像検出手段からの画像情報を基に被写体の目を認識する目認識手段と、該目認識手段からの情報により、目線の方向を判定する判定手段と、該判定手段の判定結果に応じて被写体記録動作を行わせる制御手段とを有するカメラとするものである。
【手続補正１２】
【補正対象書類名】明細書
【補正対象項目名】００２０
【補正方法】変更
【補正の内容】
【００２０】
また、上記第３の目的を達成するために、請求項３に記載の発明は、被写界の画像情報を検出する被写界像検出手段と、該被写界像検出手段からの画像情報を基に被写体の顔の表情を認識する表情認識手段と、該表情認識手段からの情報により、該顔の表情を判定する判定手段と、該判定手段の判定結果に応じて被写体記録動作を行わせる制御手段とを有するカメラとするものである。
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】変更
【補正の内容】
【００２３】
また、上記第４の目的を達成するために、請求項４に記載の発明は、被写界の画像情報を検出する被写界像検出手段と、該被写界像検出手段からの画像情報を基に被写体の顔の表情を認識する表情認識手段と、該表情認識手段からの情報により、該顔の表情を判定する判定手段と、該判定手段の判定結果に応じて記録画面の明るさを変化させる画面明るさ変化手段と、該画面明るさ変化手段により変化された明るさの画面での被写体を記録する記録動作を行わせる制御手段とを有するカメラとするものである。
【手続補正１６】
【補正対象書類名】明細書
【補正対象項目名】００２４
【補正方法】変更
【補正の内容】
【００２４】
また、上記第５の目的を達成するために、請求項５に記載の発明は、被写界の画像情報を検出する被写界像検出手段と、該被写界像検出手段からの画像情報を基に被写体の顔の表情を認識する表情認識手段と、該表情認識手段からの情報により、該顔の表情を判定する判定手段と、該判定手段の判定結果に応じてテキストやキャラクタを発生させる発生手段と、該発生手段により発生されたテキストやキャラクタを被写体と共に記録する記録動作を行わせる制御手段とを有するカメラとするものである。
【手続補正１７】
【補正対象書類名】明細書
【補正対象項目名】００２５
【補正方法】変更
【補正の内容】
【００２５】
また、上記第６の目的を達成するために、請求項６に記載の発明は、被写界の画像情報を検出する被写界像検出手段と、該被写界像検出手段からの画像情報を基に被写体の顔の表情を認識する表情認識手段と、該表情認識手段からの情報により、該顔の表情を判定する判定手段と、該判定手段の判定結果に応じて記録画面の色を変化させる画面色変化手段と、該画面色変化手段により変化された画面色での被写体を記録する記録動作を行わせる制御手段とを有するカメラとするものである。
【手続補正１８】
【補正対象書類名】明細書
【補正対象項目名】００２６
【補正方法】変更
【補正の内容】
【００２６】
【発明の実施の形態】以下、本発明を図面を参照しながら以下の実施の形態に基づいて詳細に説明する。
【手続補正１９】
【補正対象書類名】明細書
【補正対象項目名】０１３９
【補正方法】変更
【補正の内容】
【０１３９】
【発明の効果】以上説明したように、請求項１に記載の発明によれば、被写体の顔を認識し、顔の向いている方向の判定結果に応じて、被写体記録動作を行うことができるカメラを提供できるものである。
【手続補正２０】
【補正対象書類名】明細書
【補正対象項目名】０１４０
【補正方法】変更
【補正の内容】
【０１４０】
また、請求項２に記載の発明によれば、被写体の目を認識し、目線の方向の判定結果に応じて、被写体記録動作を行うことができるカメラを提供できるものである。
【手続補正２１】
【補正対象書類名】明細書
【補正対象項目名】０１４１
【補正方法】変更
【補正の内容】
【０１４１】
また、請求項３に記載の発明によれば、被写体の顔の表情を認識し、顔の表情の判定結果に応じて、被写体記録動作を行うことができるカメラを提供できるものである。
【手続補正２２】
【補正対象書類名】明細書
【補正対象項目名】０１４２
【補正方法】削除
【補正の内容】
【手続補正２３】
【補正対象書類名】明細書
【補正対象項目名】０１４３
【補正方法】削除
【補正の内容】
【手続補正２４】
【補正対象書類名】明細書
【補正対象項目名】０１４４
【補正方法】変更
【補正の内容】
【０１４４】
また、請求項４に記載の発明によれば、被写体の顔の表情を認識し、顔の表情の判定結果に応じて、記録画面の明るさを変化させることができるカメラを提供できるものである。
【手続補正２５】
【補正対象書類名】明細書
【補正対象項目名】０１４５
【補正方法】変更
【補正の内容】
【０１４５】
また、請求項５に記載の発明によれば、被写体の顔の表情を認識し、顔の表情の判定結果に応じて、表情に合ったテキストやキャラクタを記録することができるカメラを提供できるものである。
【手続補正２６】
【補正対象書類名】明細書
【補正対象項目名】０１４６
【補正方法】変更
【補正の内容】
【０１４６】
また、請求項６に記載の発明によれば、被写体の顔の表情を認識し、顔の表情の判定結果に応じて、表情に合った色に記録画面を変化させることができるカメラを提供できるものである。